(57)【要約】【課題】枠状の光導波路の角部にスペースの余裕がなく、それを解決するために幅狭状の連絡路と幅広状の主路とを組み合わせた場合であっても、枠状の検知空間の長手方向に光強度の揃った均一な光の格子を形成することのできる、検出能力の高い入力デバイスを提供する。【解決手段】矩形状の検知空間Ｓを有する四角枠状の光導波路１０における発光側の光導波路コアＣ１は、光入射側の共通部１から、第１連絡路２ａ，第１主路２ｂおよび複数の光出射路２ｃからなる第１分岐コア部２と、第２連絡路３ａ，第２主路３ｂおよび複数の光出射路３ｃからなる第２分岐コア部３とに分岐する二分岐状に形成され、上記主路（２ａ，３ａ）における始端側の光入射端面（２ｄ，３ｄ）と主路始端側の最初の光出射路（２ｃ，３ｃ）の分岐開始位置との間の距離（Ｌ）が、この主路（２ａ，３ａ）の光入射端面（２ｄ，３ｄ）のコア幅（Ｗ）以上の長さ（Ｌ≧Ｗ）になっている。【選択図】図１
2013109494.tif 000002
【特許請求の範囲】
【請求項１】
枠に囲われた空間が検知空間になっている四角枠状の光導波路と、この枠状光導波路の１つの角部の外縁に配設される光源と、複数の受光素子を備える受光手段と、上記光源から出射される光を互いに隣接する上記枠の２辺に分配する二分岐状の発光側光導波路コアと、上記枠の他の２辺にそれぞれ配置されて上記検知空間を通った光を受光手段に導く複数の受光側光導波路コアとを備え、上記二分岐状の発光側光導波路コアが、上記枠の角部に位置する光入射側の共通部と、この共通部の終端側の分岐点から二股状に分岐して上記枠の２辺にそれぞれ配置される分岐コア部とを有するとともに、これら各分岐コア部が、上記共通部から延びる幅狭状の連絡路と、この連絡路に続いて枠の辺の長手方向に沿って配置され連絡路より幅広状になっている主路と、上記辺の長手方向に沿った所定のピッチごとに上記主路から分岐する複数の光出射路とから形成されてなる入力デバイスであって、上記各分岐コア部が、下記の（Ａ）〜（Ｃ）のいずれかの構成をとることを特徴とする入力デバイス。
（Ａ）上記主路における始端側の光入射端面と主路始端側の最初の光出射路の分岐開始位置との間の距離（Ｌ）が、この主路の光入射端面のコア幅（Ｗ）以上の長さ（Ｌ≧Ｗ）に形成されている。
（Ｂ）上記連絡路と主路との接続部が、この連絡路の光軸を上記主路の中心軸より内縁側にずらせた位置に設けられている。
（Ｃ）上記連絡路における主路側の光出射端部が、上記主路の光入射端部に向かってコア幅が徐々に拡幅する略三角形状に形成されている。
【請求項２】
上記（Ａ）における主路の光入射端面のコア幅（Ｗ）が０．５ｍｍ以上に設定され、この光入射端面と主路始端側の最初の光出射路の分岐開始位置との間のコア長手方向の距離（Ｌ）が、上記光入射端面のコア幅（Ｗ）の２倍以上（Ｌ≧２Ｗ）になっている請求項１記載の入力デバイス。
【発明の詳細な説明】
【技術分野】
【０００１】
本発明は、複数の辺状部材からなる四角枠状の光導波路内側の検知空間に、物体検出用の光の格子を形成し、この格子状の光の部分的な遮蔽を検知することにより、指やペン等の入力体の位置を検出する入力デバイスに関するものである。
【背景技術】
【０００２】
コンピュータや各種機器に、指示や座標情報等を入力する入力インターフェースとして、枠状の検知空間内に形成した格子状の光の遮蔽を検出することにより、この検出空間内における指やペン等の入力体の位置を検出する、光学式の入力デバイスが使用されている。
【０００３】
この光学式入力デバイスに用いられる光学的検出手段としては、従来、四角枠状のフレームにおいて、互いに対向する一方の辺に複数の発光素子が並設され、他方の辺に複数の受光素子が並んで配置され、上記発光素子から受光素子に向かって出射された光が、上記フレーム内に、縦横に交差する光の格子を形成し、指等による光の遮蔽を検出して、この指等（入力体）の位置を検出するようになっているものが知られている（例えば、特許文献１等を参照。）。
【０００４】
しかしながら、上記のような多数の光学素子を使用する従来の光学的検出手段は、発光素子と受光素子との間の位置合わせ（アライメント）等の調整や製造の手間が多く、また部品点数も多いため品質がばらつき、歩留りが向上しない、といった数多くの問題があった。
【０００５】
これに対して、本出願人は、特願２０１０−１３９０６３において、一辺に光出射用の発光側コアを有し、対応する他辺に光入射用の受光側コアを有する枠状の光導波路を用い、上記枠において隣接する２つの辺に挟まれた１つの角部の外縁に光源を配設するとともに、この光源の光を、上記隣接する２辺（互いに直交する２つの辺）に分配して、格子状の光の縦方向光および横方向光の両方の形成に利用することにより、光源のアライメント調整等の手間が少なく、軽量、薄形で、かつ、デバイス全体で必要な光を１つの光源で賄うことのできる光学式入力デバイスを提案している。
【０００６】
上記出願人の提案（特願２０１０−１３９０６３）にかかる入力デバイス（光導波路デバイス）は、図５（ａ）に示すように、フラットパネルディスプレイの周囲の額縁部等に配置されるものであり、この額縁部に、発光側の光導波路コア１１および受光側の光導波路コア１２を備える枠状光導波路と、光源２０および受光素子（受光素子アレイ３０）とが配設されている。なお、ここでは説明しないが、図中の符号１４ａ，１５ａは後記の分岐コア部の「連絡路」に、符号１４ｂ，１５ｂは後記の分岐コア部の「主路」に、符号１４ｃ，１５ｃは後記の分岐コア部の「光出射絡路」に相当する部位である。
【０００７】
上記発光側の光導波路コア１１は、光源２０に接して設けられた広幅状の共通部１３と、この共通部１３から分岐して枠の一辺方向（この例では長辺方向）に直線状に延びる第１の分岐コア部１４と、共通部１３の分岐点Ｊから９０°湾曲して枠の他辺（短辺）方向に延びる第２の分岐コア部１５とからなる、二分岐状のコアに形成されており、上記共通部１３の光入射側端面（光結合面）１３ａからコアに入射した光源２０の発光が、分岐点Ｊにおける上記第１の分岐コア部１４と第２の分岐コア部１５のコア幅の比（Ｗｘ：Ｗｙ）に応じた所定の比率に分配されるようになっている〔図５（ｂ）参照〕。
【０００８】
また、これら第１の分岐コア部１４および第２の分岐コア部１５の各光出射側端部（出光部１４ｘおよび１５ｙ）から、上記光源２０の光が額縁内の検知空間（領域）Ｓに出射（投射）されることにより、この検知空間Ｓ内に、縦横（ｘｙ方向）に交差する光の格子が形成される。そして、指やペン等による上記光の格子の遮蔽を、上記受光側光導波路コア１２に繋がる受光素子アレイ３０で検知することにより、指やペン等の位置を検出するようになっている。
【先行技術文献】
【特許文献】
【０００９】
【特許文献１】特許第３６８２１０９号公報
【発明の概要】
【発明が解決しようとする課題】
【００１０】
ところで、近年のディスプレイの額縁部は狭幅（いわゆる「狭額ベゼル」）化されたものが主流となってきており、上記枠状の光導波路を用いた入力デバイスにおいても、その枠（額縁に相当）の辺の幅が狭く、目立ちにくいものが好まれる傾向にある。そこで、本発明者は、上記二分岐状の発光側光導波路コアを有する入力デバイスにおいて、光源とのアライメント等を考慮して、光入射側の共通部と枠の辺部分に配置される分岐コア部との幅を狭くせず、これらの間を繋ぐ連絡路（コア）を幅細状とすることにより、上記コアの配置（設計）の自由度と組み立ての容易さ等とを両立することのできる入力デバイスを考えた。
【００１１】
しかしながら、上記のように、共通部から延びる幅狭状の連絡路と、この連絡路に続いて辺の長手方向に沿って配置される幅広状の主路とを備える発光側光導波路コアにおいては、新たな問題が生じ易いことが分かってきた。
【００１２】
例えば、図６の受光素子の受光強度分布（スペクトル）に示すように、上記幅狭状の連絡路とそれより幅広状の主路とを接続（光接続）すると、前記発光側光導波路コア１１の各光出射側先端（ｘ方向の出光部１４ｘおよびｙ方向の出光部１５ｙ）から出射されるそれぞれの光量（強度）が、枠の辺の長手方向にばらつき、格子状の光の均一性（ユニフォーミティ）が低下する場合があることが分かった。すなわち、幅狭状の連絡路から幅広状の主路に出射された光は、主路の終端側に向かって徐々に拡散するため、この連絡路側（主路の光入射端側）に位置するいくつかの光出射路に、光が到達しない（光が素通りする）ことが分かった。
【００１３】
このように、発光側光導波路コア１１の各出光部１１ｘ，１１ｙから出射される光量が乱れると、検出空間Ｓ内において入力体を検出できない部分的な領域（「検出の死角」）がまれに生じるおそれがあり、その改善が求められている。
【００１４】
本発明は、このような事情に鑑みなされたもので、枠状の光導波路の角部にスペースの余裕がなく、それを解決するために幅狭状の連絡路と幅広状の主路とを組み合わせた場合であっても、枠状の検知空間の長手方向に光強度の揃った均一な光の格子を形成することのできる、検出能力の高い入力デバイスの提供をその目的とする。
【課題を解決するための手段】
【００１５】
上記の目的を達成するため、本発明の入力デバイスは、枠に囲われた空間が検知空間になっている四角枠状の光導波路と、この枠状光導波路の１つの角部の外縁に配設される光源と、複数の受光素子を備える受光手段と、上記光源から出射される光を互いに隣接する上記枠の２辺に分配する二分岐状の発光側光導波路コアと、上記枠の他の２辺にそれぞれ配置されて上記検知空間を通った光を受光手段に導く複数の受光側光導波路コアとを備え、上記二分岐状の発光側光導波路コアが、上記枠の角部に位置する光入射側の共通部と、この共通部の終端側の分岐点から二股状に分岐して上記枠の２辺にそれぞれ配置される分岐コア部とを有するとともに、これら各分岐コア部が、上記共通部から延びる幅狭状の連絡路と、この連絡路に続いて枠の辺の長手方向に沿って配置され連絡路より幅広状になっている主路と、上記辺の長手方向に沿った所定のピッチごとに上記主路から分岐する複数の光出射路とから形成されてなる入力デバイスであって、上記各分岐コア部が、下記の（Ａ）〜（Ｃ）のいずれかの構成をとる入力デバイスをその要旨とする。
（Ａ）上記主路における始端側の光入射端面と主路始端側の最初の光出射路の分岐開始位置との間の距離（Ｌ）が、この主路の光入射端面のコア幅（Ｗ）以上の長さ（Ｌ≧Ｗ）に形成されている。
（Ｂ）上記連絡路と主路との接続部が、この連絡路の光軸を上記主路の中心軸より内縁側にずらせた位置に設けられている。
（Ｃ）上記連絡路における主路側の光出射端部が、上記主路の光入射端部に向かってコア幅が徐々に拡幅する略三角形状に形成されている。
【００１６】
すなわち、本発明の発明者は、前記課題を解決するために、枠状の光導波路の光路に関する研究を重ね、枠の角部に配置された光源の光を隣接する枠の２辺方向に分配する二分岐状の発光側光導波路コアを備える入力デバイスにおいて、分岐後の各分岐コア部における連絡路と主路の接続（連結）部位を、コア内の光を効率的に分散させる構造（形状）にするより、枠状の光導波路の角部に充分なスペースがとれない場合でも、上記発光側光導波路コアから出射される格子状の光の強度を、枠の辺の長手方向に安定させることができることを見出し、本発明に到達した。
【００１７】
なお、本発明におけるコアの「幅」とは、枠状光導波路の辺に沿って延びるコアの長手方向と直交する方向の長さのことをいう。この長さは、枠の辺の面（水平面）上にあらわれる。また、「主路における光入射端面と光出射路の分岐開始位置との間の距離」等における「距離」もこれと同様、上記枠の水平面上における長さをいい、コアの「厚さ」とは、上記枠の水平面に垂直な上下方向の長さをいう。また、連絡路の「光軸」とは、コア内を通過する光束の代表となる幅方向中心の仮想的な光線をいい、主路の「中心軸」とは、上記コアの長手方向に沿ったコアの「幅」の中心線をいう。
【発明の効果】
【００１８】
以上のように、本発明の入力デバイスは、枠の角部から各辺方向に光を伝達する幅狭状の連絡路と、この連絡路に続いて枠の辺の長手方向に沿って配置される幅広状の主路と、上記辺の長手方向に沿った所定のピッチごとに上記主路から分岐する複数の光出射路とからなる分岐コア部を備える。そして、上記（Ａ）に記載の入力デバイスは、上記分岐コア部の主路における始端側の光入射端面と主路始端側の最初の光出射路の分岐開始位置との間の距離（Ｌ）が、この主路の光入射端面のコア幅（Ｗ）以上の長さ（Ｌ≧Ｗ）に形成されている。そのため、この入力デバイスは、上記枠の角部に連絡路用のスペースが充分に確保できない場合でも、コア内を通過する光が、上記「主路における始端側の光入射端面と主路始端側の最初の光出射路の分岐開始位置との間」でコアの断面（幅方向断面）全体に拡散・均一化される。その結果、本発明の入力デバイスは、上記分岐コア部の光出射側端部（各光出射路）から検知空間に向かって出射されるそれぞれの光の量（強度）が、枠の辺の長手方向に平均化される。これにより、枠（検知空間）の長手方向全域にわたって検出感度の揃った、死角のない高精度な入力体の位置検出を行うことができる。
【００１９】
また、上記幅狭状の連絡路と幅広状の主路および複数の光出射路とからなる分岐コア部を備える入力デバイスにおいて、上記連絡路と主路との接続部を、この連絡路の光軸を上記主路の中心軸より内縁側にずらせた位置に設けた（Ｂ）場合は、上記枠の角部に充分なスペースがなくても、このコア内を通過する光が、上記主路の始端側で拡散・均一化される。これにより、上記分岐コア部の光出射側端部（各光出射路）から検知空間に向かって出射されるそれぞれの光の量（強度）が、枠の辺の長手方向に平均化される。この構成によっても、本発明の入力デバイスは、枠（検知空間）の長手方向全域にわたって検出感度の揃った、高精度な入力体の位置検出を行うことができる。
【００２０】
さらに、上記幅狭状の連絡路と幅広状の主路および複数の光出射路とからなる分岐コア部を備える入力デバイスにおいて、上記連絡路における主路側の光出射端部が、上記主路の光入射端部に向かってコア幅が徐々に拡幅する略三角形状に形成されているもの（Ｃ）も、このコア内を通過する光が、上記主路の始端側で拡散・均一化される。これにより、上記分岐コア部の光出射側端部（各光出射路）から検知空間に向かって出射されるそれぞれの光の量（強度）が、枠の辺の長手方向に平均化される。この構成によっても、本発明の入力デバイスは、枠（検知空間）の長手方向全域にわたって検出感度の揃った、高精度な入力体の位置検出を行うことができる。
【００２１】
そして、本発明の入力デバイスのなかでも、上記（Ａ）における主路の光入射端面のコア幅（Ｗ）が０．５ｍｍ以上に設定され、この光入射端面と主路始端側の最初の光出射路の分岐開始位置との間のコア長手方向の距離（Ｌ）が、上記光入射端面のコア幅（Ｗ）の２倍以上（Ｌ≧２Ｗ）になっているものは、上記分岐コア部の各光出射側端部から出射される光量を、枠の辺の長手方向により均一なものとすることができる。
【図面の簡単な説明】
【００２２】
【図１】（ａ）は本発明の第１実施形態における入力デバイスの構成を示す平面図であり、（ｂ）はそのＰ部拡大図である。
【図２】本発明の第２実施形態における入力デバイスの構成を示す要部拡大図である。
【図３】本発明の第３実施形態における入力デバイスの構成を示す要部拡大図である。
【図４】（ａ）〜（ｅ）は、本発明の入力デバイスに用いられる枠状光導波路を作製する方法を説明する図である。
【図５】（ａ）は従来の入力デバイスの構成を示す平面図であり、（ｂ）はそのＱ部拡大図である。
【図６】受光素子アレイにおける相対受光強度の分布を、枠のｘ方向（長辺），ｙ方向（短辺）に対応する受光素子の番号順に表すグラフである。
【発明を実施するための形態】
【００２３】
つぎに、本発明の実施の形態を、図面にもとづいて詳しく説明する。
【００２４】
図１（ａ）に全体像を示す第１実施形態の入力デバイスは、例えば、フラットパネルディスプレイ等の表示装置（図示せず）の画面の周囲に配置され、その四角枠状の光導波路１０の中央部の空間（検知空間Ｓ）から露呈する上記画面の領域に、指やペン等の入力体で触れることにより、この入力体の位置を、上記検知空間Ｓ内の座標（ｘ−ｙ座標）として取得し、その位置情報をコンピュータやＡＴＭ等の情報機器に出力するものである。
【００２５】
上記枠状の光導波路１０は、上記ディスプレイの画面のサイズに合わせて、横長（長辺Ｘの長さ：短辺Ｙの長さ＝１６：９）の長方形状に形成されたクラッド層４と、このクラッド層４に埋没するようにして形成された光路としてのコア（Ｃ１，Ｃ２）とからなり、その１つの角部１０ｚの外縁に、光源２０としての発光素子が、所定の向きに取り付けられている。なお、この枠状光導波路１０は、別個に作製した４つの光導波路部材１０Ａ，１０Ｂ，１０Ｃ，１０Ｄ等を組み合わせて構成されている（図中の鎖線は、これらの合わせ目を示す）。
【００２６】
また、上記枠状光導波路１０には、上記クラッド層４の角部１０ｚに隣接する枠の２辺（図においては長辺１０Ｘと短辺１０Ｙ）に、上記光源２０から出射される光を、互いに直交する上記２辺１０Ｘ，１０Ｙ方向に所定の比で分配する発光側光導波路コアＣ１が設けられ、上記辺１０Ｘ，１０Ｙにそれぞれ対向する他の２辺（１０Ｘ’，１０Ｙ’）に、上記発光側光導波路コアＣ１からの光を入射させて受光素子（受光素子アレイ３０）に導くための複数の受光側光導波路コアＣ２が設けられている。
【００２７】
さらに、上記発光側光導波路コアＣ１は、枠状光導波路１０の角部１０ｚに配置された光入射側の共通部１と、上記共通部１の分岐点Ｊで分配された光を枠の一辺１０Ｘ方向および枠の他辺１０Ｙ方向に伝達する第１分岐コア部２および第２分岐コア部３とから形成されており、これら各分岐コア部（２，３）は、上記共通部１から各辺方向に光を伝達する幅狭状の連絡路（第１連絡路２ａ，第２連絡路３ａ）と、この連絡路（２ａ，３ａ）に続いて枠の辺の長手方向に沿って配置される幅広状の主路（第１主路２ｂ，第２主路３ｂ）と、上記辺の長手方向に沿った所定のピッチごとに上記主路から分岐する複数の光出射路（２ｃおよび３ｃ）とから構成されている。
【００２８】
そして、上記第１実施形態の入力デバイスにおいては、図１（ｂ）のように、上記発光側光導波路コアＣ１は、一方の第１分岐コア部２の主路２ｂにおける始端側の光入射端面２ｄと主路２ｂ始端側の最初の光出射路（図中の２ｃ）の分岐開始位置との間の距離（Ｌ2）が、この光入射端面２ｄのコア幅（Ｗ2）以上の長さ（Ｌ2≧Ｗ2）になっているとともに、他方の第２分岐コア部３の主路３ｂにおける始端側の光入射端面３ｄと主路３ｂ始端側の最初の光出射路（図中の３ｃ）の分岐開始位置との間の距離（Ｌ3）が、この光入射端面３ｄのコア幅（Ｗ3）以上の長さ（Ｌ3≧Ｗ3）になっている。これが、本発明の第１実施形態の入力デバイスの特徴である。
【００２９】
上記入力デバイスについて、さらに詳しく説明すると、この入力デバイスに用いられる枠状光導波路１０は、例えば、ポリマー系光導波路の場合、樹脂材料を用いて形成された枠状のクラッド層４（オーバークラッド層４ａおよびアンダークラッド層４ｂからなる）の間に、フォトリソグラフィ法等により上記形状にパターニングされた発光側光導波路コアＣ１および上記複数の受光側光導波路コアＣ２が形成されている。
【００３０】
上記第１実施形態（図１）における光導波路１０の発光側光導波路コアＣ１は、上記光源２０から出射される光を、互いに直交する上記２辺１０Ｘ，１０Ｙ方向に所定の比で分配できるように、光源２０に接する光入射側の端部（共通部１）から、枠のｘ方向（長辺１０Ｘ側）の第１連絡路２ａと、ｙ方向（短辺１０Ｙ側）の第２連絡路３ａの２方向に分岐する、二分岐形状に形成されており、これら第１連絡路２ａおよび第２連絡路３ａの終端側（光出射側）にそれぞれ、上記枠の長辺１０Ｘおよび短辺１０Ｙに沿った形状の第１主路２ｂおよび第２主路３ｂが形成されている。
【００３１】
上記発光側光導波路コアＣ１の共通部１は、図１（ｂ）のように、第１連絡路２ａ（コア幅Ｗｘ）と第２連絡路３ａ（コア幅Ｗｙ）とを合わせたコア幅Ｗ1（この例においてはＷｘ：Ｗｙ＝１：１）に形成され、その一端側（図示右側）の端面１ａは、光源２０からの光（白抜き矢印）が入射する光結合面（水平方向の幅Ｗ1）となっている。なお、光入射側の端面１ａのコア幅Ｗ1は、上記光源２０との光結合を容易にするために、通常、光源２０（発光素子）の発光部幅よりも広くなっている。例えば、発光素子の発光部幅が１０μｍ程度である場合、上記光入射端面１ａの幅Ｗ1は、４０〜１０００μｍに設計される。また、上記光入射端面１ａと発光素子の発光部との間の距離（間隙）は、通常３００μｍ程度に設定される。
【００３２】
上記共通部１から分岐した一方の第１連絡路２ａ（第１分岐コア部２の一部）は、分岐点Ｊにおける分岐後に、緩やかに湾曲する形状に形成されており、この湾曲部位を通過する光がコアの断面全体に均一に拡散されるようになっている。上記分岐点Ｊで第１連絡路２ａと分岐した第２連絡路３ａ（第２分岐コア部３の一部）も、その分岐後に湾曲する形状に形成されており、この例では、図１（ｂ）のように、分岐点Ｊの直後から、１／４円形状（アーチ形状）に湾曲する形状に形成されている。そして、光出射側の終端が、他方の分岐コア部（第２分岐コア部３）の第２主路３ｂに接続されている。なお、この第２連絡路３ａは、この例では上記第１連絡路２ａと同幅に形成されており、そのコア幅Ｗｙ（およびコア幅Ｗｘ）は、好ましくは２０〜５００μｍ、さらに好ましくは４０〜３００μｍである。
【００３３】
上記第１連絡路２ａに繋がる第１主路２ｂは、その長手方向の先端（終端）まで光が伝達されるように、その始端側（光入射側）が幅広で、かつ、後記光出射路の分岐により終端側に向かって次第に低下して行く光量に対応するために、その終端側が徐々に幅の狭くなる、長手方向に延びる細長の三角形状に形成されている。また、上記第１主路２ｂの内縁側には、この第１主路２ｂから分岐する多数の光出射路２ｃ，２ｃ，・・・が形成されている。これら光出射路２ｃは、辺１０Ｘの長手方向に沿って所定のピッチごとに第１主路２ｂから次々と分岐する多分岐状に形成されており、その各先端（終端）側に設けられた光出射側端部（出光部２ｘ）が、枠状光導波路１０の検知空間Ｓ側内縁〔図１（ａ）においては上側縁〕の所定位置に、それぞれ位置決めされている。なお、上記例では、上記第１主路２ｂの外縁側が、光入射側の始端部から終端側にかけて徐々に幅が狭くなる（所定角で傾斜する）形状に形成されているが、この第１主路２ｂは、全体のコア幅が長手方向に同じ（同幅）であってもよい。
【００３４】
上記第２連絡路３ａに繋がる第２主路３ｂも、上記第１分岐コア部２と同様、光を枠の一辺（短辺１０Ｙ）に沿って分散させる細長の三角形状に形成されており、その内縁側にも、この第２主路３ｂから分岐する多数の光出射路３ｃ，３ｃ，・・・が形成されている。これら各光出射路３ｃの先端（終端）側に設けられた光出射側端部（出光部３ｙ）は、枠状光導波路１０の検知空間Ｓ側内縁〔図１（ａ）においては右側縁〕の所定位置に、それぞれ位置決めされている。なお、上記第２主路３ｂも、上記第１主路２ｂと同様、全体のコア幅が長手方向に同じ（同幅）であってもよい。
【００３５】
そして、光源２０からの光を上記各出光部２ｘ，３ｙから出射（投射）させることにより、図１（ａ）のように、上記枠の内側の検知空間Ｓに、枠の縦横（ｘｙ方向）に交差する光の格子（点線、矢印は光の進行方向を示す）が形成される。なお、上記図１（ａ）は、図示が煩雑になるのを避けるため、各光出射路２ｃ，３ｃ（および出光部２ｘ，３ｙ）の本数を減らして図示している（出射される光−点線矢印も同様）。上記光出射路２ｃ，３ｃの本数は、入力デバイスのサイズや解像度等に応じて適宜設計されるが、例えば、上記第１分岐コア部２（長辺１０Ｘ）側の光出射路２ｃの本数は２００〜８００本程度、上記第２分岐コア部３（短辺１０Ｙ）側の光出射路３ｃの本数は１００〜６００本程度のものが多用される。
【００３６】
一方、上記発光側の光導波路コアＣ１に対して、検知空間Ｓを挟んで対向する辺（長辺１０Ｘ’，短辺１０Ｙ’）には、上記各光出射路２ｃ，３ｃの先端（出光部２ｘ，３ｙ）のそれぞれに対応する、受光側光導波路コアＣ２が複数形成されている。これら各受光側光導波路コアＣ２の光入射側の端部（受光部）は、上記発光側光導波路コアＣ１の各光出射側先端対向する枠の内縁〔図１（ａ）においては下側縁と左側縁〕の所定位置にそれぞれ位置決めされており、上記検知空間Ｓを通過して各受光側光導波路コアＣ２の先端（受光部）に入射した光が、これら各受光側光導波路コアＣ２の１本１本を通じて、受光素子アレイ３０中で対応する個々の受光素子に導かれるようになっている。
【００３７】
なお、上記入力デバイスに用いられる受光素子（アレイ３０）としては、ＣＣＤ，ＣＭＯＳ等のイメージセンサや、多数の受光素子が一列に並ぶＣＭＯＳリニアセンサアレイ等を用いることができる。
【００３８】
また、上記入力デバイスに用いられる光源２０には、発光ダイオード（ＬＥＤ）または半導体レーザー等が用いられ、なかでも、光伝送性に優れるＶＣＳＥＬ（垂直共振器面発光レーザー）が好適に用いられる。上記光源２０から出射される光の波長は、近赤外線（波長：７００〜２５００ｎｍ）が好ましい。
【００３９】
そして、この例では、図１（ａ）のように、上記光源２０が枠状光導波路１０の１つの角部１０ｚの所定位置に配置され、その発光が、この角部１０ｚに隣接する枠の２辺（１０Ｘと１０Ｙ）に導かれるようになっている。そのため、このデバイス全体で必要な光を、１つの光源で賄うことができる。
【００４０】
上記第１実施形態の入力デバイスにおいては、先に述べたように、分岐コア部（２，３）の主路（２ｂ，３ｂ）における始端側の光入射端面（２ｄ，３ｄ）と主路始端側の最初の光出射路（２ｃ，３ｃ）の分岐開始位置との間のコア長手方向の距離（Ｌ2，Ｌ3）が、この光入射端面（２ｄ，３ｄ）のコア幅（Ｗ2，Ｗ3）以上の長さ（Ｌ2≧Ｗ2およびＬ3≧Ｗ3）になっている。そのため、この入力デバイスでは、上記分岐コア内を通る光が、上記主路（２ｂ，３ｂ）の始端部で充分に拡散され、コアの断面全体に均一化される。これにより、第１実施形態における入力デバイスは、これら各分岐コア部２，３の光出射路２ｃ，３ｃから検知空間Ｓに向かって出射される格子状の光の光量（強度）を、枠の辺の長手方向に均一なものとすることができる。さらに、格子状の光の光量が辺の長手方向に平均化されることから、上記第１実施形態の入力デバイスは、枠（検知空間Ｓ）の長手方向全域にわたって検出感度の揃った、死角のない高精度な入力体の位置の検出を行うことが可能になる。
【００４１】
なお、上記第１実施形態の入力デバイスにおいては、各主路（２ｂ，３ｂ）における光入射端面（２ｄ，３ｄ）のコア幅（Ｗ2，Ｗ3）が０．５ｍｍ以上の場合、これら光入射端面（２ｄ，３ｄ）と主路始端側の最初の光出射路（２ｃ，３ｃ）の分岐開始位置との間のコア長手方向の距離（Ｌ2，Ｌ3）が、上記光入射端面（２ｄ，３ｄ）のコア幅（Ｗ2，Ｗ3）の２倍以上（Ｌ2≧２Ｗ2およびＬ3≧２Ｗ3）になっていることが望ましい。この点については、後記の実施例で説明する。
【００４２】
つぎに、本発明の第２実施形態（図２）の入力デバイスについて説明する。
上記第２実施形態における光導波路１０の発光側光導波路コアＣ１も、基本的な構成は、前記第１実施形態（図１）における入力デバイスと同様であり、その要部拡大図である図２に示すように、角部１０ｚに配置された共通部１と、分岐点Ｊから枠の一辺１０Ｘ方向および枠の他辺１０Ｙ方向に分岐する第１分岐コア部２および第２分岐コア部３とから形成されている。
【００４３】
この第２実施形態における発光側光導波路コアＣ１が第１実施形態と異なる点は、一方の第１連絡路２ａと主路２ｂとの接続部が、この連絡路２ａの光軸Ｔ1を上記主路２ｂの中心軸Ｔ2より枠の内縁側にずらせた位置に設けられているとともに、他方の第２連絡路３ａと主路３ｂとの接続部が、この連絡路３ａの光軸Ｔ3を上記主路３ｂの中心軸Ｔ4より枠の内縁側にずらせた位置に設けられている点である。その他の構成は、前記第１実施形態の入力デバイスと同様である。
【００４４】
以上の構成によっても、この第２実施形態入力デバイスでは、上記分岐コア内を通る光が、上記主路（２ｂ，３ｂ）の始端部で充分に拡散され、コアの断面全体に均一化される。これにより、第２実施形態における入力デバイスも、これら各分岐コア部２，３の光出射路２ｃ，３ｃから検知空間Ｓに向かって出射される格子状の光の光量（強度）を、枠の辺の長手方向に均一なものとすることができる。また、枠（検知空間Ｓ）の長手方向全域にわたって検出感度の揃った、死角のない高精度な入力体の位置の検出を行うことが可能になる。
【００４５】
つぎに、本発明の第３実施形態（図３）の入力デバイスについて説明する。
上記第３実施形態における光導波路１０の発光側光導波路コアＣ１も、基本的な構成は、前記第１実施形態（図１）における入力デバイスと同様であり、その要部拡大図である図３に示すように、角部１０ｚに配置された共通部１と、分岐点Ｊから枠の一辺１０Ｘ方向および枠の他辺１０Ｙ方向に分岐する第１分岐コア部２および第２分岐コア部３とから形成されている。
【００４６】
この第３実施形態における発光側光導波路コアＣ１が第１実施形態と異なる点は、一方の第１連絡路２ａ（コア幅Ｗｘ）における主路２ｂ側の端部（光出射端部）が、上記主路２ｂ（コア幅Ｗ2）に向かってこのコア幅が徐々に拡幅する形状になっているとともに、他方の第２連絡路３ａ（コア幅Ｗｙ）における主路３ｂ側の端部（光出射端部）が、上記主路３ｂ（コア幅Ｗ3）に向かってこのコア幅が徐々に拡幅する形状になっている点である。その他の構成は、上記第１，第２実施形態の入力デバイスと同様である。
【００４７】
上記構成の第３実施形態入力デバイスによれば、上記分岐コア内を通る光が、上記主路（２ｂ，３ｂ）の始端部に至る前にコア幅いっぱいに充分に拡散され、コアの断面全体に均一化される。これにより、第３実施形態における入力デバイスも、これら各分岐コア部２，３の光出射路２ｃ，３ｃから検知空間Ｓに向かって出射される格子状の光の光量（強度）を、枠の辺の長手方向に均一なものとすることができる。さらに、枠（検知空間Ｓ）の長手方向全域にわたって検出感度の揃った、死角のない高精度な入力体の位置の検出を行うことが可能になる。
【００４８】
なお、上記各実施形態においては、発光側光導波路コアＣ１の光出射側端部（各光出射路２ｃ，３ｃ先端の出光部２ｘ，３ｙ）と、各受光側光導波路コアＣ２の光入射側端部（受光部）とは、枠の内側に向かって反るレンズ状（平面視円弧状）になっていることが望ましい。上記発光側光導波路コアＣ１の光出射側端部を上記レンズ状とすることにより、これら光出射側端部から、枠状光導波路１０の内縁に垂直でかつ互いに平行な光線を出射することができる。また、上記各受光側光導波路コアＣ２の光入射側端部を上記レンズ状とすることにより、これら光入射側端部の集光効率を高めることができる。上記各コアＣ１，Ｃ２の出光部および受光部をレンズ状としない場合は、別体のレンズ体を準備し、これを上記枠状光導波路１０の検知空間Ｓ内の周縁に沿って設置してもよい。
【００４９】
また、上記実施形態においては、光導波路１０のコアＣ１，Ｃ２が、樹脂材料（高分子材料）を用いて形成されたポリマー系光導波路を例に説明したが、このコアＣ１，Ｃ２を構成する材料は、例えばガラス等、周囲に配設されるクラッド層６より屈折率の高い材料であればよい。ただし、上記コアＣ１，Ｃ２と周囲のクラッド層６との屈折率の差は、０．０１以上であることが好ましく、上記形状のパターンニング性等も考慮すると、紫外線硬化樹脂等の感光性樹脂が最も好ましい。使用する紫外線硬化樹脂としては、アクリル系，エポキシ系，シロキサン系，ノルボルネン系，ポリイミド系等があげられる。
【００５０】
さらに、上記コアＣ１，Ｃ２の周囲のクラッド層４は、上記紫外線硬化樹脂等の感光性樹脂のうち、上記コアＣ１，Ｃ２より屈折率の低い材料を用いればよい。その他にも、クラッド層４には、ガラス，シリコン，金属，樹脂等、平坦性を有する基板を兼用する材料を用いることもできる。さらに、クラッド層４は、コアＣ１，Ｃ２の下側のアンダークラッド層（後記の４ｂ）のみとしてもよく、上記コアＣ１，Ｃ２を覆うオーバークラッド層（後記の４ａ）は、形成しなくてもよい。そして、上記枠状光導波路１０は、プラズマを用いたドライエッチング法，転写法，露光・現像を用いたフォトリソグラフィ法，フォトブリーチ法等により作製することができる。
【００５１】
つぎに、上記入力デバイスの作製方法について、第１実施形態の入力デバイスを例に説明する。図４（ａ）〜（ｅ）は、本発明の実施形態における入力デバイス用光導波路の製法を模式的に説明する断面図である。なお、図４においては、光導波路の発光側のみを図示しており、これと並行して作製される受光側の図示を省略している。また、図中の符号Ｃ１はコア（発光側の光導波路コア）、４ａはオーバークラッド層、４ｂはアンダークラッド層、２１は基台、２２は成形型であり、図４の（ａ）〜（ｅ）は、光導波路が作製される工程順を表す。
【００５２】
まず、枠状の光導波路を形成するための基台２１を準備し、平坦な場所に載置する。この基台２１の材質は、作製されるポリマー系光導波路を、後に剥離可能な材質が選択される。
【００５３】
ついで、図４（ａ）に示すように、上記基台２１の表面に、アンダークラッド層４ｂを形成する。このアンダークラッド層４ｂは、感光性樹脂を形成材料として、フォトリソグラフィ法により形成することができる。アンダークラッド層４ｂの厚さは、例えば、５〜５０μｍの範囲内に設定される。
【００５４】
つぎに、図４（ｂ）に示すように、上記アンダークラッド層４ｂの表面に、フォトリソグラフィ法により、パターン形状の発光側光導波路コアＣ１および受光側光導波路コアＣ２（図示せず）を形成する。これらコアＣ１（およびＣ２）の形成材料としては、上記アンダークラッド層４ｂおよび後記のオーバークラッド層４ａの形成材料よりも屈折率が高い感光性樹脂が用いられる。なお、先に述べたように、上記発光側光導波路コアＣ１および受光側光導波路コアＣ２の枠の内縁部〔各光出射路２ｃ，３ｃ先端の出光部２ｘ，３ｙと各受光側光導波路コアＣ２の光入射側先端の受光部：図１（ａ）参照〕は、平面視レンズ状に形成される。
【００５５】
ついで、オーバークラッド層４ａ形成用の、透光性を有する成形型２２を準備する。この成形型２２には、図４（ｃ）に示すように、オーバークラッド層４ａの表面形状に対応する型面を有する凹部（成形キャビティ）が形成されており、この実施形態では、上記各光出射路２ｃ（３ｃ）の先端側端部を覆う部位〔図４（ｃ）の右端部分〕が、上下方向（光導波路の厚み方向）に１／４円の円弧状のレンズ曲面に形成されているものを使用している。
【００５６】
ついで、この成形型２２を、上記凹部を上にして（天地を逆にして）、成形型２２を成形ステージ（図示せず）の上に設置し、まず、上記凹部内にオーバークラッド層４ａ形成用の感光性樹脂（ワニス状）を充填する。ついで、アンダークラッド層４ｂ上に形成したコアＣ１を、上記成形型２２の凹部に対して位置決めし、その状態で、上記アンダークラッド層４ｂを上記成形型２２に押圧し、上記ワニス状のオーバークラッド層４ａ形成用の感光性樹脂の中にコアＣ１を浸す。そして、この状態で、紫外線等の照射線を、上記成形型２２を透して上記感光性樹脂に照射し、その感光性樹脂を露光する。これにより、上記感光性樹脂が硬化して、図４（ｄ）に示すような、コアＣ１（およびＣ２）の内縁側先端部に対応する部位がレンズ状に形成されたオーバークラッド層４ａが形成される。
【００５７】
つぎに、上記感光性樹脂の硬化が完了した後、上記成形型２２からオーバークラッド層４ａをコアＣ１，アンダークラッド層４ｂおよび基台２１とともに脱型し、上記基台２１を剥離させて取り除くことにより、図４（ｅ）に示すような、枠状の光導波路１０を得る。
【００５８】
ついで、図１（ａ）に示すように、得られた枠状光導波路１０の角部１０ｚの所定位置に、コアＣ１の共通部１の端面（光結合面）１ａに正対するように光源２０を配置し、共通部１の光軸と光源２０の光軸とを調芯して位置決めする。また、受光側にも受光素子アレイ３０を取り付け、図示しない配線等を接続することにより、本実施形態における入力デバイスを作製することができる。
【実施例】
【００５９】
つぎに、本発明の入力デバイスの効果を実証する試験として行った「実施例」について説明する。ただし、本発明は、以下の実施例に限定されるものではない。
【００６０】
本実施例においては、設計上、枠状光導波路の角部に充分なスペースを確保できない場合を想定し、発光側光導波路の分岐コア部の主路における始端側の光入射端面と主路始端側の最初の光出射路の分岐開始位置との間のコア長手方向の距離（以下、単に「長手方向距離Ｌ」という）と、この主路の光入射端面のコア幅（以下、「光入射端面のコア幅Ｗ」という）との関係を種々変化させて、一方側の辺側の光強度分布（図６の「Ｘ−ａｒｅａ」参照）とを測定し、「光入射端面のコア幅Ｗに対する長手方向距離Ｌの比」がこの光強度分布に与える影響を検証した。
【００６１】
まず、光導波路の形成材料を準備した。
〔アンダークラッド層の形成材料〕
成分Ａ：脂環骨格を含むエポキシ樹脂（ダイセル化学工業社製，ＥＨＰＥ３１５０）７５重量部
成分Ｂ：エポキシ基含有アクリル系ポリマー（日油社製，マープルーフＧ−０１５０Ｍ）２５重量部
成分Ｃ：光酸発生剤（サンアプロ社製，ＣＰＩ−２００Ｋ）４重量部
これら成分Ａ〜Ｃを、紫外線吸収剤（チバジャパン社製，ＴＩＮＵＶＩＮ４７９）５重量部とともに、シクロヘキサノン（溶剤）に溶解することにより、アンダークラッド層の形成材料を調製した。
【００６２】
〔コアの形成材料〕
成分Ｄ：ビスフェノールＡ骨格を含むエポキシ樹脂（ジャパンエポキシレジン社製，１５７Ｓ７０）８５重量部
成分Ｅ：ビスフェノールＡ骨格を含むエポキシ樹脂（ジャパンエポキシレジン社製，エピコート８２８）５重量部
成分Ｆ：エポキシ基含有スチレン系ポリマー（日油社製，マープルーフＧ−０２５０ＳＰ）１０重量部
これら成分Ｄ〜Ｆと上記成分Ｃ  ４重量部とを、乳酸エチルに溶解することにより、コアの形成材料を調製した。
【００６３】
〔オーバークラッド層の形成材料〕
成分Ｇ：脂環骨格を有するエポキシ樹脂（ＡＤＥＫＡ社製，ＥＰ４０８０Ｅ）１００重量部
この成分Ｇと上記成分Ｃ  ２重量部とを混合することにより、オーバークラッド層の形成材料を調製した。
【００６４】
＜光導波路の作製＞
〔アンダークラッド層の形成〕
まず、ステンレス製の基台（平板状）の表面に、上記アンダークラッド層の形成材料を塗布した後、１６０℃×２分間の乾燥処理を行い、感光性樹脂層を形成した。ついで、上記感光性樹脂層に対し、紫外線を照射して積算光量１０００ｍＪ／ｃｍ2の露光を行い、厚さ２０μｍのアンダークラッド層を形成した〔図４（ａ）参照〕。
【００６５】
〔コアの形成〕
ついで、上記アンダークラッド層の表面に、上記コアの形成材料を塗布した後、１７０℃×３分間の加熱処理を行い、溶媒を揮散させてコア形成用の感光性樹脂層を形成した。つぎに、上記分岐状でかつそのコアの分岐点より終端側の各分岐コア部（連絡路，主路，光出射路）が所定形状になっている開口パターン〔図１（ｂ）参照〕が形成されたフォトマスクを介して（ギャップ１００μｍ）紫外線を照射し、積算光量３０００ｍＪ／ｃｍ2の露光を行った後、１２０℃×１０分間の加熱処理を行い、樹脂の硬化を完了させた。そして、現像液（γ−ブチロラクトン）を用いてディップ現像することにより、未露光部分を溶解除去した後、１２０℃×５分間の加熱乾燥処理を行うことにより、パターニングされた厚さ（高さ）５０μｍの分岐状コアを形成した。
【００６６】
〔オーバークラッド層の形成〕
つぎに、オーバークラッド層形成用の、透光性を有する成形型を準備した。この成形型は、オーバークラッド層の表面形状に対応する成形キャビティを備えている。そして、その凹部を上にして、成形型を成形ステージの上に設置し、上記凹部に、前記のオーバークラッド層の形成材料を充填した。
【００６７】
ついで、上記アンダークラッド層の表面にパターン形成したコアを、上記成形型の凹部に対して位置決めし、その状態で、上記アンダークラッド層を上記成形型に押圧し、上記オーバークラッド層の形成材料（ワニス状）に、上記コアを浸した。そして、この状態で、紫外線を、上記成形型を透して上記オーバークラッド層の形成材料に照射して積算光量８０００ｍＪ／ｃｍ2の露光を行い、コアの先端部に対応するオーバークラッド層の部分が、上下方向に略１／４円弧状のレンズ曲面（曲率半径１．５ｍｍ）に形成されたオーバークラッド層を形成した。
【００６８】
つぎに、上記成形型から、上記オーバークラッド層を、アンダークラッド層およびコアとともに脱型させるとともに、上記基台をアンダークラッド層から剥離して、入力デバイス作製用の光導波路（総厚１ｍｍ）を得た。なお、上記二分岐状の光導波路コア〔図１（ｂ）参照〕は、共通部１のコア幅Ｗ1が１２０μｍ、分岐後の第１連絡路２ａのコア幅Ｗｘが８０μｍ、第２連絡路３ａのコア幅Ｗｙが４０μｍに形成されている。
【００６９】
＜供試用入力デバイスの作製＞
〔光源の取り付け〕
得られた枠状の光導波路の角部に位置する、発光側の光導波路コアＣ１の共通部１の端部（光結合面）１ａに当接する所定位置〔図１（ｂ）等参照〕に、発光強度（または出力）が３ｍＷのＶＣＳＥＬ光源（Ｏｐｔｏｗｅｌｌ社製）を配設し、共通部１の中心軸上に上記光源の発光部（幅１０μｍ）の中心がくるように、調芯・位置合わせしてこの光源を固定し、供試用の入力デバイスを作製した。なお、上記光源の発光部の発光面とコアＣ１の共通部１の光結合面（１ａ）との距離（間隙）は３００μｍとした。また、光導波路のコア幅，コア高さの測定には、レーザー顕微鏡（キーエンス社製）を、コア中心および光源のずれ量の測定には、光学顕微鏡（オリンパス社製  ＭＸ５１）を用いた。
【００７０】
〔測定用受光素子ユニットの取り付け〕
ついで、光強度測定用の受光素子ユニット（Ｏｐｔｏｗｅｌｌ社製  ＣＭＯＳリニアセンサアレイ）を準備し、上記発光側光導波路コアＣ１の各光出射路２ｃの先端（出光部２ｘ）から出射される光（信号）が、このセンサアレイの各受光素子に個々に入射するように（すなわち、光出射路１本に対して受光素子１個が対応するように）、上記受光素子ユニットを位置決めし、その状態で、上記枠状光導波路に接着剤等で固定して、枠の辺の一方（この場合は長辺１０Ｘ）側における各出光部２ｘごとの光強度を個別に測定できるように準備した。
【００７１】
＜光強度の測定および評価＞
上記供試用の入力デバイスを用いて、まず、枠状光導波路の角部に充分なスペースがあり、主路の光入射側端部における上記「長手方向距離Ｌ」を光の拡散に充分な１０ｍｍ確保できる場合を、リファレンス（理想的なコア形状）として、枠の辺の一方側における受光強度分布を測定した。ついで、上記「光入射端面のコア幅Ｗ」が、それぞれ０．２，０．５，１．０，１．５，２．０，３．０ｍｍのサンプルを用意して、枠の辺の一方側における光強度分布（図６における右側のＸ−ａｒｅａに相当）を測定し、計測した辺の一方側の領域（Ｘ−ａｒｅａ）を、辺の長手方向に対応する１１の区画（Ｄｉｖｉｓｉｏｎ０１〜１１：図６参照）に等分し、その区画ごとに、下記式（１）により、上記リファレンスからの光強度の変化率（％）を求めた。
変化率（％）  ＝  （計測光量−リファレンス光量）／リファレンス光量・・・（１）
【００７２】
試験における適否の判定は、上記１１の区画の最大値・最小値なかで変化率（絶対値）が最大のものを抽出し、その値が２０％以内のものを「○」、１つでも２０％を越えるものがある場合を「×」と判定した。上記実施例におけるサンプルの寸法の組み合わせと、実験の結果を以下の「表１」，「表２」に示す。
【００７３】
【表１】
2013109494.tif 000003
【００７４】
【表２】
2013109494.tif 000004
【００７５】
上記表１，２から分かるように、本発明の入力デバイスは、上記分岐コア部の主路の「光入射端面のコア幅Ｗ」が０．５ｍｍ未満の場合において、主路の光入射側端部における上記「長手方向距離Ｌ」を、この「入射端面のコア幅Ｗ」より長くすることにより、充分な辺長手方向の光強度の均一性が得られることが分かる。また、上記主路の「光入射端面のコア幅Ｗ」が０．５ｍｍ以上に設定されている場合は、主路の光入射側端部における上記「長手方向距離Ｌ」を、この「光入射端面のコア幅Ｗ」の２倍以上の長さとすることにより、同様に、充分な辺長手方向の光強度の均一性を得ることができる。以上の構成により、本発明の入力デバイスは、枠の辺の長手方向に強度の揃った、均一な光（検出光）を安定して出射できることが確認された。
【００７６】
なお、別の実験により、「上記連絡路と主路との接続部が、この連絡路の光軸を上記主路の中心軸より枠の内縁側にずらせた位置に設けられている」場合、および、「上記連絡路における主路側の光出射端部が、上記主路の光入射端部に向かってコア幅が徐々に拡幅する形状になっている」場合も、上記と同様、本発明の入力デバイスは、枠の辺の長手方向に強度の揃った、均一な光（検出光）を安定して出射できることが確認できた。
【産業上の利用可能性】
【００７７】
本発明の枠状光導波路を用いた入力デバイスは、枠状の光導波路の角部にスペースの余裕がない場合でも、枠の辺の長手方向に平均化された均一な光を、検知空間に向けて投射できる。これにより、上記入力デバイスは、検知空間内に死角のない、高精度な入力体の検出を行うことができる。
【符号の説明】
【００７８】
１  共通部
２  第１分岐コア部
２ａ  第１連絡路
２ｂ  第１主路
２ｃ  光出射路
２ｄ  光入射端面
３  第２分岐コア部
３ａ  第２連絡路
３ｂ  第２主路
３ｃ  光出射路
３ｄ  光入射端面
１０  光導波路
Ｃ１  光導波路コア
Ｓ  検知空間
【図１】
2013109494.tif 000005
【図２】
2013109494.tif 000006
【図３】
2013109494.tif 000007
【図４】
2013109494.tif 000008
【図５】
2013109494.tif 000009
【図６】
2013109494.tif 000010